(57)【要約】【課題】屋外型沈澱池における気候、気象条件の変化によっても常に処理環境を保持することを目的とする。【解決手段】  屋外型沈澱池の水面上に、該水面から前記屋外型沈澱池の側壁の上縁部までの高さの任意の位置に少なくとも１枚のメッシュ状膜を展張する、屋外型沈澱池の処理環境を保持する方法。【選択図】図６
2018038949.tif 000002
【特許請求の範囲】
【請求項１】
屋外型沈澱池の水面上に、該水面から前記屋外型沈澱池の側壁の上縁部までの高さの任意の位置に、少なくとも1枚のメッシュ状膜を展張することを特徴とする屋外型沈澱池の処理環境を保持する方法。
【発明の詳細な説明】
【技術分野】
【０００１】
本発明は、汚濁水を清澄処理するための屋外型沈澱池における処理環境の保持方法に関する。
【背景技術】
【０００２】
従来、汚濁物質を含有する汚濁水を清澄処理するための代表的な沈澱池としては、例えば、横流式普通沈澱池、横流式薬品沈澱池、放射流式普通沈澱池、放射流式薬品沈澱池、高速凝集沈澱池等が知られている。これらの沈澱池は、一般的に屋外に設置するのが常である。
このように屋外に沈澱池を設置すると、気候、気象条件によって設計時の処理条件を保持することができず、結果的に所望する汚濁水の清澄化を行うことができなかった。すなわち、一般的に沈澱池の流れの主体は、水面近くに流れが集中するので、部分的に整流壁で流れを早くして水深下の通水断面を広げることが必要であった。そのため整流設備を設けて、沈澱池内の偏流を少なくして除去率を高めることが行われている。しかしながら実際の沈澱池では、池内の水流は、水流自体の乱れや気候、気象条件の影響で、理想的な状態とはほど遠い乱れた水流状態を呈してしまうことがあった。例えば風速５ｍ／Ｓ以上になると水深０．５ｍ迄水の擾乱が生起し、また沈澱池内の処理水の表層面と水底との温度差が１℃生ずることによって流速が１０倍速くなり、充分な清澄化処理が行えなくなるのである。
【０００３】
そこで近年では、特に気象条件の変化に対応できる沈澱池として、沈澱池の天井部を覆う沈澱池が提案されている（特許文献１）。
しかしながら沈澱池の天井部を覆うためには莫大な費用がかかり、かつ内部に設けた設備等の交換ができない欠点があった。
【先行技術文献】
【特許文献】
【０００４】
【特許文献１】特開２０１３−１４６６８５号公報
【発明の概要】
【発明が解決しようとする課題】
【０００５】
そこで本発明者は、特に気象条件の変化によっても処理環境を保持し、ある一定の清澄化の処理条件を満たす方法について種々研究を重ねた結果簡単な装備をすることによって、満足する結果を得ることができた。
【課題を解決するための手段】
【０００６】
すなわち、本発明は、屋外型沈澱池の水面上に、該水面から前記屋外型沈澱池の側壁の上縁部までの高さの任意の位置に、少なくとも1枚のメッシュ状膜を展張することを特徴とする屋外型沈澱池の処理環境を保持する方法である。
【発明の効果】
【０００７】
本発明方法は、屋外型沈澱池の水面の上部に少なくとも1枚のメッシュ状膜を展張することによって、該メッシュ状膜によって境界層を設けることができ、それによって風による沈澱池内の処理水の擾乱を防止すると共に日光による水温上昇、また冬期における放射熱、積雪による水温の低下を防止し、安定した処理条件によって原水の処理をすることができる。またメッシュ状膜の設置も簡単に行えるので費用を大幅に節減することができると共に沈澱槽内のメンテナンスも容易に行うことができる。
【図面の簡単な説明】
【０００８】
【図１】従来の横流沈澱池の側断面図である。
【図２】図1の横流沈澱池の平面図である。
【図３】水流傾斜膜の正面図である。
【図４】図３の水流傾斜膜の側面図である。
【図５】本発明のメッシュ状膜の斜視図である。
【図６】本発明のメッシュ状膜を展張した横流沈澱池の側断面図である。
【図７】本発明のメッシュ状膜を展張した放射流式普通沈澱池の側断面図である。
【図８】本発明のメッシュ状膜を展張した放射流式普通沈澱池の平面図である。
【発明を実施するための形態】
【０００９】
本発明の屋外型沈澱池の代表的なものとしては図1に示すような横流沈澱池が知られている。この横流沈澱池の構造は、混和槽1、フロック形成槽２、孔３を設けた整流壁４、沈澱槽５、取水トラフ６、処理水排出管７、排泥渠８から構成されている。
【００１０】
次に図１に示す横流沈澱池により、汚濁物質を含有する原水を処理する場合について説明する。
汚濁物質を含有する原水は、凝集剤が添加された後、混和槽１において急速撹拌され、次にフロック形成槽２において緩速撹拌された後、孔３を有する整流壁４を経て沈澱槽５を通過する。その際フロック化された汚濁物質は分離除去され、底部の排泥渠８に集泥される。集泥渠８に集泥されたフロック化された汚濁物質は、スラッジ集水管から排泥される。沈澱槽５を通過した処理水は、集水トラフ６を介して処理水排出管７から沈澱池外に排出される。
【００１１】
また前期沈澱槽５には、フロック化された汚濁物質の沈降効果を高めるために例えば図２に示すような水流傾斜膜１０を展張することが好ましい。図３および図４に示すように水流傾斜膜１０はシート状膜１１の上部にフロート１２を設け、このフロート１２をシャックル等を用いて連結することによって構成することができる。その際に隣接するシート状膜１１との間に間隔部１３を設けることが必要である。この間隔部１３は、水流の速度にもよるが、一般的には５〜２０ｃｍの間隔を設けることが好ましい。
【００１２】
本発明方法は、前記のような沈澱池の水面を覆うようにメッシュ状膜を展張するものである。図５に示すように本発明方法に使用するメッシュ状膜１４としては、例えば結節網、無結節網、成型網、寒冷紗等が挙げられる。これらのメッシュ状膜１４は可変形性でも、プラスチック製薄板状の不変形性のもでも使用できる。メッシュ状膜１４の一つの目の大きさは１ｍｍ２〜１００ｃｍ２であることが好ましい。
【００１３】
メッシュ状膜１４は少なくとも沈澱池の沈澱槽５の水面上部全体あるいは部分的に展張する。具体的な展張位置としては水面から沈澱槽５の側壁の上縁部との間の任意の位置（高さ）に展張することが好ましい。また複数枚を重ねたり、あるいは複数枚重ねるに当りメッシュ状膜１４の上下のメッシュ状膜１４の間に間隔を置いて設けることもできる。このようにメッシュ状膜１４を複数枚重ねて使用することによって効果はさらに向上する。
【００１４】
沈澱槽５中にメッシュ状膜１４を展張する方法としては、図６に示すような水流傾斜膜１０を使用した場合は、そのフロート１２を利用して、該フロート１２上に適宜の手段によってメッシュ状膜１４を固定することによって展張することができる。また展張されたメッシュ状膜１４は必ずしも全体が水面上にある必要はなく、場合によっては一部が水表面あるいは水中に浸る状態であっても差し支えない。
【００１５】
また、本発明方法に使用するメッシュ状膜１４は、沈澱槽５の他、混合槽１、フロック形成槽２にも展張することによってさらに効果は向上する。
【００１６】
沈澱槽５中にメッシュ状膜１４を展張する他の方法としては、図７に示すような放射流式普通沈澱池の場合は、外周にメッシュ状膜１４を固定することによって展張することができる。また展張されたメッシュ状膜１４は必ずしも沈澱池の全体に展張することなく、図８に示すような外周側に満遍無く複数枚のメッシュ状膜１４を固定することによって展張することができる。
【００１７】
本発明方法は、汚濁物質を含有する汚濁水を清澄処理するための沈澱池の他に、たとえば水酸化カルシウムや水酸化マグネシウム等の生産工程に使用する沈澱池にも使用する事が出来る。
【００１８】
次に本発明方法を実施例１を掲げて説明するが、本発明は以下の実施例のみに限定されるものではない。
実施例
図６に示した縦３０ｍおよび横１０ｍの横流沈澱池の沈澱槽５に設けられた水流傾斜膜１０のフロート１２上にメッシュ状膜１４を展張し固定した。
この横流沈澱池を用い冬期（気温０℃、水温２６℃、風速５ｍ／Ｓ）に原水（濁度３９０００ｍｇ／Ｌ、水量２４０ｍ３／ｈｒ）を処理したところ、処理水排出管７から採取した処理水の濁度は６０ｍｇ／Ｌであった。
一方比較のためにメッシュ状膜１４を用いなかった以外前記実施例とほぼ同一条件で原水を処理したところ処理水排出管７から採取した処理水は、濁度３５０ｍｇ／Ｌであった。
【符号の説明】
【００１９】
５・・・沈澱槽
１４・・・メッシュ状膜
【図１】
2018038949.tif 000003
【図２】
2018038949.tif 000004
【図３】
2018038949.tif 000005
【図４】
2018038949.tif 000006
【図５】
2018038949.tif 000007
【図６】
2018038949.tif 000008
【図７】
2018038949.tif 000009
【図８】
2018038949.tif 000010